(57)【要約】【課題】連続処理設備におけるシャー切断方法において、シャー切断の駆動手段の動力を最大限に利用できるようにすることで、設備能力を十分に発揮させて生産性のさらなる向上を図る。【解決手段】板状の被切断材を、被切断材の板送り方向に沿って往復移動する第１の切刃１５１と、クランク軸１６５の回転駆動により円運動する所定のレーキ角を有する第２の切刃１６１との間に挿入し、第２の切刃１６１が第１の切刃１５１と噛み合う際に被切断材に剪断応力を与え、被切断材を切断するシャー切断制御方法において、少なくとも被切断材の板厚ｔと板幅Ｂを用いて被切断材の切断に要する動力Ｐを算出し、当該動力Ｐの大きさに応じて、クランク軸１６５の回転駆動の減速比を設定する。【選択図】図１
2010247278.tif 000002
【特許請求の範囲】
【請求項１】
板状の被切断材を、前記被切断材の板送り方向に沿って往復移動する第１の切刃と、クランク軸の回転駆動により円運動する所定のレーキ角を有する第２の切刃との間に挿入し、前記第２の切刃が前記第１の切刃と噛み合う際に前記被切断材に剪断応力を与え、前記被切断材を切断するシャー切断方法において、
少なくとも前記被切断材の板厚と板幅を用いて前記被切断材の切断に要する動力Ｐを算出し、当該動力Ｐの大きさに応じて、前記クランク軸の回転駆動の減速比を設定することを特徴とする、シャー切断制御方法。
【請求項２】
前記動力Ｐは、前記第２の切刃の円運動に要する動力ＰＫと、前記被切断材の切断自体に要する動力ＰＳとの和として算出され、
前記動力Ｐが、前記クランク軸の回転駆動を行うクランク駆動手段の動力ＰＭ以下となる範囲内で、前記第１の切刃と前記第２の切刃とで前記被切断材を剪断可能な値に前記減速比を設定することを特徴とする、請求項１に記載のシャー切断制御方法。
【発明の詳細な説明】
【技術分野】
【０００１】
本発明は、鋼帯に酸洗、焼鈍、メッキなどの各種の処理を連続的に施すための、いわゆる連続処理設備におけるシャー切断制御方法に関する。
【背景技術】
【０００２】
一般に、鋼帯の連続処理設備においては、コイル状に巻かれた鋼帯を巻き戻し、溶接機などにより複数の鋼帯を連結し、これに各設備で目的とする種々の処理を連続的に施した後、再びコイル状に巻き取る作業が行われる。このようなコイル状に巻かれた鋼帯を巻き戻してから再びコイル状に巻き取るまでの間に、鋼帯の不良部の除去やコイルの分割あるいはサンプルの採取を行うために、鋼帯を剪断する必要がある。この鋼帯の剪断を行う装置として、現在では、揺動式ギロチンシャーなど、鋼帯を走行状態において剪断してシート状や端板に分割することができる、いわゆる走間シャーが広く使用されている（例えば、特許文献１を参照）。
【０００３】
このような走間シャーでは、通常はモータ等の駆動手段を用いて装置を駆動しているが、同一のモータ容量において生産性を向上させるために、被切断材となる鋼帯等の切断に要する動力の大きさに応じて減速比（ギア比）を替え、高速ギアと低速ギアを切り替えている。例えば、鋼帯の板厚が薄いときなど、被切断材の切断に要する動力が小さな場合には、減速比を小さくして、すなわち、高速ギアに切り替えることにより、被切断材の切断に要する時間を短縮することができ、これにより、生産性をある程度向上させることができる。
【先行技術文献】
【特許文献】
【０００４】
【特許文献１】特開平７−１１２６１４号公報
【発明の概要】
【発明が解決しようとする課題】
【０００５】
ここで、走間シャーの刃は、通常、一方の刃が所定のレーキ角を有する傾斜刃となっている。これは、被切断材に当たる刃の面積を小さくして切断に要する力を下げ、かつ切断に要する力が切断過程で一定となるようにするためである。このような走間シャーで切断される被切断材は、板厚とレーキ角から決まる一定の切断線で切断される。レーキ角は設備構成で決まってしまうため、従来は、減速比を替える場合、板厚のみを考慮していた。
【０００６】
しかしながら、このような従来の減速比の決定方法は、モータ等のシャー切断の駆動手段の動力を最大限に有効利用したものではなく、走間シャーが十分に設備能力を発揮していない、という問題を本発明者らは見出した。
【０００７】
そこで、本発明は、このような問題に鑑みてなされたもので、連続処理設備におけるシャー切断制御方法において、シャー切断の駆動手段の動力を最大限に利用できるようにすることで、設備能力を十分に発揮させて生産性のさらなる向上を図ることを目的とする。
【課題を解決するための手段】
【０００８】
本発明者らは、上記課題を解決するために鋭意研究を重ねた結果、被切断材の切断に要する動力を算出する際に、鋼帯等の板状の被切断材の板幅の影響をも考慮することにより、モータ等のシャー切断の駆動手段の動力を最大限に利用することができ、低い減速比で（高速ギアで）被切断材を切断できる範囲が拡大することを見出し、この知見に基づいて本発明を完成するに至った。
【０００９】
すなわち、本発明によれば、板状の被切断材を、前記被切断材の板送り方向に沿って往復移動する第１の切刃と、クランク軸の回転駆動により円運動する所定のレーキ角を有する第２の切刃との間に挿入し、前記第２の切刃が前記第１の切刃と噛み合う際に前記被切断材に剪断応力を与え、前記被切断材を切断するシャー切断方法において、少なくとも前記被切断材の板厚と板幅を用いて前記被切断材の切断に要する動力Ｐを算出し、当該動力Ｐの大きさに応じて、前記クランク軸の回転駆動の減速比を設定するシャー切断制御方法が提供される。
【００１０】
前記シャー切断制御方法において、前記動力Ｐは、前記第２の切刃の円運動に要する動力ＰＫと、前記被切断材の切断自体に要する動力ＰＳとの和として算出され、前記動力Ｐが、前記クランク軸の回転駆動を行うクランク駆動手段の動力ＰＭ以下となる範囲内で、前記第１の切刃と前記第２の切刃とで前記被切断材を剪断可能な値に前記減速比を設定してもよい。
【００１１】
以上のような本発明によれば、鋼帯等の板状の被切断材の板厚だけでなく板幅の影響をも考慮して被切断材の切断に要する動力を算出することで、クランク駆動手段の動力を最大限に利用することができる。すなわち、本発明においては、動力Ｐ≦動力ＰＭとなる範囲内で、かつ、被切断材が剪断可能な範囲であれば、減速比をなるべく小さく、すなわち、クランク軸の回転速度がなるべく速くなるような減速比を設定することが可能となる。従って、本発明によれば、低い減速比で、すなわち、クランク軸の回転速度が速い状態で、被切断材を切断できる範囲が拡大する。
【発明の効果】
【００１２】
本発明によれば、連続処理設備におけるシャー切断制御方法において、板状の被切断材の板幅の影響をも考慮して被切断材の切断に要する動力を算出することで、低い減速比で被切断材を切断できる範囲が拡大するので、設備能力を十分に発揮させて生産性のさらなる向上を図ることが可能となる。
【図面の簡単な説明】
【００１３】
【図１】本発明の一実施形態に係るシャー切断装置の全体構成を示す側面図である。
【図２】同実施形態に係るシャー切断装置の全体構成を示す上面図である。
【図３Ａ】同実施形態に係る走間シャーの構成を示す側面図である。
【図３Ｂ】同実施形態に係る走間シャーの構成を示す側面図である。
【図４】同実施形態に係るシャー切断装置の動作を示す説明図である。
【図５】同実施形態に係る上刃及び下刃の運動の軌跡とクランク軸の回転の軌跡との関係を示す説明図である。
【図６】同実施形態に係る被切断材の切断自体に要する動力を説明するための説明図である。
【図７】同実施形態に係る下刃の円運動に要する動力を説明するための説明図である。
【図８】本発明の一実施例において、高速ギアを使用する範囲と低速ギアを使用する範囲を、被切断材の板厚と板幅との関係で示したグラフである。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
［本発明の一実施形態に係るシャー切断制御方法に用いるシャー切断装置について］
（シャー切断装置の構成について）
まず、図１、図２、図３Ａおよび図３Ｂを参照しながら、本発明の一実施形態に係るシャー切断制御方法に用いるシャー切断装置１０の構成について説明する。図１は、本実施形態に係るシャー切断装置１０の全体構成を示す側面図である。図２は、本実施形態に係るシャー切断装置１０の全体構成を示す上面図である。図３Ａおよび図３Ｂは、本実施形態に係る走間シャー１５の構成を示す側面図である。
【００１６】
図１、図２、図３Ａおよび図３Ｂに示すように、本実施形態に係るシャー切断装置１０は、本実施形態に係るクランク駆動手段の一例としてのモータ１１と、減速機１３と、走間シャー１５と、を主に備える。
【００１７】
モータ１１は、動力（モータ容量）が一定のモータで、モータの回転軸の一端が連結部１２を介して減速機１３と連結されている。減速機１３は、一側が連結部１２を介してモータ１１の回転軸と連結され、他側が連結部１４を介して後述する走間シャー１５のクランク軸１６５に連結され、モータ１１の回転駆動により生じた回転を所定の減速比でクランク軸１６５に伝える。
【００１８】
この減速機１３は、コイル等の被切断材の切断に要する動力の大きさに応じて減速比を上げたり下げたりすることが可能な制御部（図示せず）を有している。また、減速機１３の内部には、例えば、減速の割合が小さくクランク軸１６５のトルクが小さい高速ギアと、減速の割合が大きくクランク軸１６５のトルクが大きい低速ギアとが設けられており、減速機１３の制御部が減速比を替えることにより、高速ギアと低速ギアとが切り替えられる。ただし、本実施形態における減速機１３が有するギアは高速ギアと低速ギアの２つからなる場合だけでなく、減速機１３には、３以上のギアや無段変則ギア等が設けられていてもよい。
【００１９】
このような減速機１３を備えるシャー切断装置１０は、被切断材の種類等により、被切断材の切断に必要な動力が大きな場合には、減速機１３が減速比を上げて（例えば、低速ギアに切り替えて）クランク軸のトルクを上げることにより、被切断材に与える剪断力を大きくし、一方、被切断材の切断に必要な動力が小さくてすむ場合には、減速機１３が減速比を下げて（例えば、高速ギアに切り替えて）クランク軸の回転速度を上げる。このとき、通常は、減速機１３の制御部は、できるだけ小さな減速比に設定する（例えば、被切断剤の切断の動力が小さくてすむ場合には、できるだけ高速ギアを選択するようにする）ことで、被切断材の切断に要する時間を短縮することができ、これにより、生産性を向上させることができる。
【００２０】
ただし、従来は、被切断材の切断に必要な動力を算出する際に、板状の被切断材の板厚のみを考慮していたため、より低い減速比で（例えば、低速ギアで）被切断材を切断可能な場合にも高い減速比（例えば、高速ギア）を用いて被切断材の切断を行っており、モータ１１の動力を有効に利用することができていなかった。
【００２１】
そこで、本実施形態では、減速機１３の制御部は、少なくとも被切断材の板厚と板幅を用いて被切断材の切断に要する動力を算出し、当該動力の大きさに応じて、クランク軸１６５の回転駆動の減速比を設定している。この減速機１３の制御部による減速比の設定方法の詳細については後述する。
【００２２】
走間シャー１５は、本実施形態に係る第１の切刃の一例としての上刃１５１と、上刃支持部材１５３と、走行車輪１５５と、車輪支持部材１５７と、ガイドレール１５９と、本実施形態に係る第２の切刃の一例としての下刃１６１と、下刃支持部材１６３と、クランク軸１６５と、クランク支持部材１６７と、回転伝達軸１７１と、を主に有する。
【００２３】
上刃１５１は、上刃支持部材１５３により支持され、板状の被切断材の板送り方向にほぼ直角に設置されており、被切断材の板送り方向に沿って往復移動する。このような上刃１５１の往復移動を行わせる上刃移動機構としては、本実施形態では、主に、車輪支持部材１５７により回転可能に支持された走行車輪１５５と、走行車輪１５５の移動をガイドするガイドレール１５９とから構成されている。走行車輪１５５は、上側及び下側にそれぞれ４個ずつ設けられており、それぞれの走行車輪１５５に対応して、ガイドレール１５９が設けられている。ガイドレール１５９は、被切断材の板送り方向に沿って設けられており、走行車輪１５５がガイドレール１５９上を移動することにより、上刃支持部材１５３に支持された上刃１５１を板送り方向に往復移動させることができる。このとき、上刃１５１は、その移動速度が、下刃１６１の円運動における周速の板送り方向の成分（下刃１６１の板送り方向における移動速度）に同調するように板送り方向に往復移動する。
【００２４】
下刃１６１は、下刃支持部材１６３により支持され、上刃１５１と同様に、板状の被切断材の板送り方向にほぼ直角に設置されており、クランク軸１６５の回転駆動により円運動する。ここで、図３Ａおよび図３Ｂに示すように、クランク軸１６５は、中心軸が偏芯した構造を有する左右（減速機１３に近い側と遠い側）２つの軸で構成されており、クランク支持部材１６７により支持され、さらに、偏芯した軸に軸受１６７ａ（図３Ａを参照）を介して下刃支持部材１６３が支持されている。
【００２５】
さらに、減速機１３からの回転力は、一方（図１の左側）のクランク軸に伝達され、さらに、回転伝達軸１７１を介して反対側（図１の右側）のクランク軸１６５に伝達され、左右のクランク軸１６５が同期して回転するようになっている。
【００２６】
また、下刃１６１は、所定のレーキ角を有する傾斜刃となっている。これは、下刃１６１がレーキ角を有することにより、被切断材に当たる刃の面積を小さくして切断に要する力を下げるためである。
【００２７】
本実施形態に係るシャー切断装置１０は、以上のような構成を有し、板状の被切断材を上刃１５１と下刃１６１との間に挿入し、下刃１６１が上刃１５１と噛み合う際に被切断材に剪断応力を与え、被切断材を切断するものである。
【００２８】
（シャー切断装置の動作について）
次に、図４を参照しながら、上述した構成を有するシャー切断装置１０の動作について説明する。図４は、本実施形態に係るシャー切断装置１０の動作を示す説明図である。
【００２９】
上述したように、本実施形態に係るシャー切断装置１０は、板状の被切断材を、被切断材の板送り方向に沿って往復移動する上刃１５１と、クランク軸１６５の回転駆動により円運動する所定のレーキ角を有する下刃１６１との間に挿入し、下刃１６１が上刃１５１と噛み合う際に被切断材に剪断応力を与え、被切断材を切断する。以下、図４に示す（Ｉ）〜（ＩＶ）の順に、このようなシャー切断装置１０の動作について詳細に説明する。
【００３０】
まず、図４の（Ｉ）は、走間シャー１５の上刃１５１と下刃１６１とが噛み合っている状態を示している。このとき、走行車輪１５５はガイドレール１５９の略中央部に位置しており、クランク軸１６５の偏芯した軸は上側に位置している。このような状態で、走間シャー１５の上刃１５１と下刃１６１とは、被切断材（図示せず）に剪断応力を与えることができる。
【００３１】
次に、図４の（ＩＩ）に示すように、クランク軸１６５が時計回り方向に回転し、クランク軸１６５の偏芯した軸が右側に位置するようになる。このクランク軸１６５の回転により、下刃支持部材１６３に支持された下刃１６１は、時計回り方向に円運動し、被切断材の板送り方向（図４では水平方向）の右方で、かつ、鉛直方向の下方に向かって移動する。また、この下刃１６１の板送り方向の移動速度に同調する速度で、走行車輪１５５がガイドレール１５９に沿って板送り方向（図４では水平方向）の右方に移動し、走行車輪１５５がガイドレールの１５９の右端に位置するようになる。この走行車輪１５５の移動に連動して、上刃支持部材１５３に支持された上刃１５１も、板送り方向の右方に移動する。従って、上刃１５１と下刃１６１との位置関係は、板送り方向には変化しないが、鉛直方向には互いに離隔することとなる。
【００３２】
次に、図４の（ＩＩＩ）に示すように、クランク軸１６５が時計回り方向にさらに回転し、クランク軸１６５の偏芯した軸が下側に位置するようになる。このクランク軸１６５の回転により、下刃支持部材１６３に支持された下刃１６１は、時計回り方向にさらに円運動し、被切断材の板送り方向（図４では水平方向）の左方で、かつ、鉛直方向の下方に向かって移動する。また、この下刃１６１の板送り方向の移動速度に同調する速度で、走行車輪１５５がガイドレール１５９に沿って板送り方向（図４では水平方向）の左方に移動し、走行車輪１５５がガイドレール１５９の略中央部に位置するようになる。この走行車輪１５５の移動に連動して、上刃支持部材１５３に支持された上刃１５１も、板送り方向の左方に移動する。従って、上刃１５１と下刃１６１との位置関係は、板送り方向には変化しないが、鉛直方向には、図４（ＩＩ）の場合よりも互いにさらに離隔することとなる。
【００３３】
次に、図４の（ＩＶ）に示すように、クランク軸１６５が時計回り方向にさらに回転し、クランク軸１６５の偏芯した軸が左側に位置するようになる。このクランク軸１６５の回転により、下刃支持部材１６３に支持された下刃１６１は、時計回り方向にさらに円運動し、被切断材の板送り方向（図４では水平方向）の左方で、かつ、鉛直方向の上方に向かって移動する。また、この下刃１６１の板送り方向の移動速度に同調する速度で、走行車輪１５５がガイドレール１５９に沿って板送り方向（図４では水平方向）の左方に移動し、走行車輪１５５がガイドレール１５９の左端に位置するようになる。この走行車輪１５５の移動に連動して、上刃支持部材１５３に支持された上刃１５１も、板送り方向の左方に移動する。従って、上刃１５１と下刃１６１との位置関係は、板送り方向には変化しないが、鉛直方向には、図４（ＩＩＩ）の場合よりも接近することとなる。なお、図４に示した例では、上刃１５１と下刃１６１との距離は、（ＩＩ）と（ＩＶ）では同一となっている。
【００３４】
次に、クランク軸１６５が時計回り方向にさらに回転すると、図４の（Ｉ）に示す状態に復帰し、このときに被切断材を切断することとなる。
【００３５】
なお、以上説明した走間シャー１５の上刃１５１と下刃１６３の動作からわかるように、下刃１６１の円運動は、上刃１５１の移動方向である板送り方向および被切断材の垂線方向（図４では鉛直方向）を含む平面内で行われる。
【００３６】
［本発明の一実施形態に係るシャー切断制御方法について］
次に、図５〜図７を参照しながら、以上説明したようなシャー切断装置１０を用いて行われる、本実施形態に係るシャー切断制御方法について説明する。図５は、上刃１５１及び下刃１６１の運動の軌跡とクランク軸の回転の軌跡との関係を示す説明図である。図６は、被切断材の切断自体に要する動力を説明するための説明図である。図７は、下刃１６３の円運動に要する動力を説明するための説明図である。
【００３７】
本実施形態に係るシャー切断制御方法は、板状の被切断材を、当該被切断材の板送り方向に沿って往復移動する上刃１５１と、クランク軸１６５の回転駆動により円運動して所定のレーキ角を有する下刃１６１との間に挿入し、下刃１６１が上刃１５１と噛み合う際に被切断材に剪断応力を与え、被切断材を切断するように制御する方法である。そして、この本実施形態に係るシャー切断制御方法においては、少なくとも被切断材の板厚と板幅を用いて被切断材の切断に要する動力Ｐを算出し、当該動力Ｐの大きさに応じて、クランク軸１６５の回転駆動の減速比を設定する。
【００３８】
図５のクランク軌跡に示すように、クランク軸１６５が回転駆動されると、下刃１６１は、図５に破線の軌跡で示したように、例えば矢印Ｙの方向（時計回り方向）に円運動する。また、上刃１５１は、下刃１６１の動作に同調して、矢印Ｘ１及び矢印Ｘ２に示すように、被切断材の板送り方向（図５では水平方向）に沿って往復移動する。そして、上刃１５１と下刃１６１とが噛みあった際に、被切断材に剪断力Ｆを与える。このとき、クランク軸１６５には、剪断力Ｆと同じ大きさの剪断抵抗力が加わるので、クランク軸１６５の剪断抵抗トルクは、クランク軸１６５の上死点からの回転角をθ（クランク軸１６５の上死点をからの半時計回りの角度；０°＜θ＜１８０°）、クランク軸１６５の偏芯量（以下、「クランク半径」という場合がある。）をＲとすると、Ｆｓｉｎθ・Ｒとなる。
【００３９】
ここで、被切断材の板厚が薄い場合など、被切断材の切断に要する剪断力Ｆが小さな場合には、クランク軸１６５にかかる剪断抵抗トルクは小さくて済むため、クランク軸１６５の回転駆動の減速比を小さくすることができる。
【００４０】
本発明者らの検討の結果、このような被切断材の切断の際の剪断抵抗トルクは、単に被切断材の板厚のみならず、被切断材の板幅により大きく影響を受けるということが判明した。以下、この点について、図６を参照しながら具体的に説明する。
【００４１】
図６は、被切断材の切断の際の剪断抵抗トルクの大きさについて、板幅の大きな被切断材（以下、「幅広材」という。）ＳＴｂと、板幅の小さな被切断材（以下、「幅狭材」という。）ＳＴｎとで比較した結果を示している。図６に示すように、下刃１６１は、所定のレーキ角（図６では、レーキ角正接が１／５８＝ｓｉｎ１°、すなわち、レーキ角が１°の場合を例に挙げている。）を有する。そのため、被切断材の板幅により、各被切断材の端部と下刃１６１とが接触する切断開始点におけるクランク角θ（クランク軸の上死点からの回転角（０°＜θ＜１８０°）が異なる。
【００４２】
詳細には、幅広材ＳＴｂの場合、図６に実線で示したように、下刃１６１が幅広材ＳＴｂの端部Ｅｂと接触する切断開始点は、下刃軌跡上における点ＣＳｂとなり、このときのクランク角はθ２である。一方、幅狭材ＳＴｎの場合、図６に２点鎖線で示したように、下刃１６１が幅狭材ＳＴｎの端部Ｅｎと接触する切断開始点は、下刃軌跡上における点ＣＳｎとなり、このときのクランク角はθ１である。
【００４３】
ここで、幅広材ＳＴｂよりも幅狭材ＳＴｎの方が、下刃１６１が接触する位置がより上方となるので、幅狭材ＳＴｎの切断開始点ＣＳｎの方が、幅広材ＳＴｂの切断開始点ＣＳｎよりもクランク軸１６５の上死点により近い位置となるので、クランク角はθ１＜θ２となる。従って、幅広材ＳＴｂの切断に要するクランク軸１６５の剪断抵抗トルクＦｓｉｎθ２・Ｒよりも、幅狭材ＳＴｎの切断に要するクランク軸１６５の剪断抵抗トルクＦｓｉｎθ１・Ｒの方が小さくなる。すなわち、被切断材の幅が狭いほど、その切断に要する動力は小さくなり、より厚い板まで切断可能となり、同じ板の厚みであれば、クランク軸１６５の駆動の際の減速比をより小さな値に設定することが可能となる。
【００４４】
例えば、幅狭材ＳＴｎの板幅が６００ｍｍであり、幅広材ＳＴｂの板幅が１８８０ｍｍであるとした場合には、幅狭材ＳＴｎのクランク角θ１は１５．４°（ｓｉｎθ１＝０．２７）となり、幅広材ＳＴｂのクランク角θ２は２５．８°（ｓｉｎθ２＝０．４４）となる。従って、幅狭材ＳＴｎの切断の際の剪断抵抗トルクは、幅広材ＳＴｂの切断の際の剪断抵抗トルクの６割（＝０．２７／０．４４）で済み、その結果、クランク軸１６５の駆動の減速比も、幅狭材ＳＴｎの切断では、幅広材ＳＴｂの切断の際の６割とすることができる。
【００４５】
このような検討の結果から、本実施形態に係るシャー切断制御方法では、被切断材の板幅により切断開始点におけるクランク角が異なることに着目し、被切断材の板幅による剪断抵抗トルクの違いを考慮した剪断動力の算出式を考案した。その結果、本実施形態に係るシャー切断制御方法によれば、幅狭材ＳＴｎでは、従来の板厚のみを考慮して減速比を設定する方法よりも、より小さな減速比で（すなわち、よりクランク軸１６５の回転速度が速く、より短時間で）被切断材を切断可能な範囲を拡大させることができる。
【００４６】
具体的には、被切断材の切断自体に要する動力ＰＳは、次のように算出することができる。
【００４７】
まず、被切断材の切断開始点からクランク軸１６５の上死点までの距離をＨ、下刃１６１のラップ量をｈ、板幅をＢ、板厚をｔ、下刃１６１のレーキ勾配をＣとすると、距離Ｈは、以下の式（１−１）で表される。
Ｈ＝ｈ＋Ｂ／（２×Ｃ）＋ｔ  ・・・（１−１）
【００４８】
また、クランク角（被切断材の切断開始時における第２の切刃のクランク軸の上死点からの回転角）をθ（０°＜θ＜１８０°）、クランク半径をＲとすると、ｃｏｓθ及びｓｉｎθは、それぞれ、下記式（１−２）及び（１−３）で表される。
ｃｏｓθ＝（１−Ｈ／Ｒ）  ・・・（１−２）
ｓｉｎθ＝√（１−ｃｏｓ２θ）  ・・・（１−３）
【００４９】
被切断材を切断する際の剪断力Ｆは、断面積係数をＫ１、剪断抵抗係数をＫ２、板厚をｔ、剪断応力をＴＳとすると、下記式（１−４）で表される。
Ｆ＝Ｋ１×ｔ２×Ｃ×ＴＳ×Ｋ２  ・・・（１−４）
【００５０】
よって、被切断材を切断する際のクランク軸１６５の剪断抵抗トルクＴは、下記式（１−５）で表される。
Ｔ＝Ｆ×ｓｉｎθ×Ｒ
＝Ｋ１×ｔ２×Ｃ×ＴＳ×Ｋ２×ｓｉｎθ×Ｒ  ・・・（１−５）
【００５１】
従って、被切断材の切断自体に要する動力ＰＳは、一般に、クランク軸１６５の単位時間当たりの回転数をＮとすると、下記式（１−６）で表され、（１−１）式から（１−６）式に基づき算出することができる。
ＰＳ＝Ｔ×Ｎ  ・・・（１−６）
【００５２】
また、被切断材の切断に要する動力Ｐとしては、上述したようにして算出される被切断材の切断自体に要する動力ＰＳに加え、下刃１６１の駆動（円運動）に要する動力ＰＫも考慮する必要がある。
【００５３】
まず、下刃１６１は、図７に示すように円運動をしており、昇降方向（板送り方向と直交する方向、図７では鉛直方向）にはサインカーブ、横行方向（板送り方向、図７では水平方向）にはコサインカーブで運動をしている。そのため、下刃１６１が等速円運動をするためには、昇降及び横行の際に加速度を生じる。
【００５４】
図７に示すように、被切断材の切断開始点におけるクランク角をθ、クランク半径をＲ、下刃１６１の周速度をＶとすると、周速度Ｖ（ｍ／ｓ）は、角速度ω（ｒａｄ／ｓ）を用いて、Ｖ＝Ｒω（ｍ／ｓ）で表される。
【００５５】
また、下刃１６１の昇降方向の速度（昇降速度）Ｖｓ及び横行方向の速度（横行速度）Ｖｏは、それぞれ、Ｖｓ＝Ｖｓｉｎθ（ｍ／ｓ）、Ｖｏ＝Ｖｃｏｓθ（ｍ／ｓ）で表される。よって、下刃１６１の昇降方向の加速度（昇降加速度）αｓ（ｍ／ｓ２）及び横行方向の加速度（横行加速度）αｏ（ｍ／ｓ２）は、それぞれ、下記式（２−１）及び（２−２）で表される。
αｓ＝−Ｖωｃｏｓωｔ  ・・・（２−１）
αｏ＝Ｖωｓｉｎθ  ・・・（２−２）
【００５６】
また、下刃１６１が昇降する際に下刃１６１にかかる荷重Ｆｓ、及び下刃１６１が横行する際に下刃１６１にかかる荷重Ｆｏは、重力加速度をｇ、下刃支持部材１６３の重量をＷｓ、上下の刃物台の重量をＷｏとすると、それぞれ、下記式（２−３）及び（２−４）で表される。
Ｆｓ＝Ｗｓ・（αｓ＋ｇ）  ・・・（２−３）
Ｆｏ＝Ｗｏ・αｏ  ・・・（２−４）
【００５７】
よって、下刃１６１が昇降する際のトルク（昇降トルク）Ｍｓ（Ｎ−ｍ）、及び下刃１６１が横行する際のトルク（横行トルク）Ｍｏ（Ｎ−ｍ）は、それぞれ、下記式（２−５）及び（２−６）で表される。
Ｍｓ＝Ｆｓ・ｓｉｎθ×Ｒ  ・・・（２−５）
Ｍｏ＝Ｆｏ・ｃｏｓθ×Ｒ  ・・・（２−６）
【００５８】
従って、下刃１６１が等速円運動する際の合計のトルク（合計トルク）Ｍ（Ｎ−ｍ）は、下記式（２−７）で表される。
Ｍ＝（Ｆｓ・ｓｉｎθ＋Ｆｏ・ｃｏｓθ）×Ｒ  ・・・（２−７）
【００５９】
また、下刃１６１の駆動（円運動）に要する動力ＰＫ（Ｗ）は、以下の式（２−８）で表される。
ＰＫ＝Ｍ×ω  ・・・（２−８）
【００６０】
以上、（２−１）から（２−８）式に基づいて動力ＰＫが算出されるが、通常は、計算が煩雑となるため、最小２乗法等を用いて求めた近似式を使用してもよい。
【００６１】
以上、下刃１６１の円運動に要する動力ＰＫと、被切断材の切断自体に要する動力ＰＳとの和として、被切断材の切断に要する合計の動力Ｐを算出する。そして、この動力Ｐが、クランク軸１６５の回転駆動を行うクランク駆動手段（本実施形態ではモータ１１）の動力ＰＭ以下となる範囲内で、上刃１５１と下刃１６１とで被切断材を切断可能な値に減速比を設定することができる。
【００６２】
このように、本実施形態に係るシャー切断方法では、動力Ｐ≦動力ＰＭとなる範囲内で、かつ、被切断材が剪断可能な範囲であれば、減速比をなるべく小さく、すなわち、クランク軸１６５の回転速度がなるべく速くなるような減速比を設定することが可能となる。従って、本実施形態に係るシャー切断方法によれば、低い減速比で、すなわち、クランク軸１６５の回転速度が速い状態で、被切断材を切断できる範囲が拡大する。
【実施例】
【００６３】
以下、実施例を用いて本発明をさらに具体的に説明する。
【００６４】
本実施例では、高速ギアとしてクランク軸の回転速度（周速度）が８０ｍｐｍであるギアを、低速ギアとしてクランク軸の回転速度が４０ｍｐｍであるギアを備える減速機を用い、被切断材として、板幅（ｍｍ）と板厚（ｍｍ）の異なる複数のコイルを用いて、実験を行った。この実験では、実施例として、本発明を適用した板厚と板幅の影響を考慮して、コイルの切断に要する動力を算出し、算出された動力に応じて減速比を設定した。高速ギアとして設定した範囲で、高速ギアを用いて切断実験を行い、被切断材が切断可能かどうかを確認した。
【００６５】
上記実験の結果を図８に示す。なお、図８は、本発明を適用して設定した高速ギアを使用する範囲と低速ギアを使用する範囲を、被切断材としてのコイルの板厚と板幅との関係で示したグラフであり、高速ギア範囲と低速ギア範囲の境界を実線（Ｌ２）で記している。また、従来の板厚だけを考慮して設定した場合の高速ギア範囲と低速ギア範囲の境界を破線（Ｌ１）で記している。図８を見るとわかるように、従来の板厚のみを考慮して減速比を設定した場合に比べて、本発明の板厚と板幅を考慮して減速比を設定した場合には、板幅が小さな場合にはより板厚が大きな場合でも高速ギアを使用することができ、これにより、高速ギアを使用できる範囲が大きく拡大している。また、切断実験の結果を図８中に記しているが、本発明で拡大した高速ギアの適用範囲内でも、問題なく切断可能であることが確認できた。
【００６６】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００６７】
１０    シャー切断装置
１１    モータ
１３    減速機
１５    走間シャー
１５１    上刃
１５３    上刃支持部材
１５５    走行車輪
１５９    ガイドレール
１６１    下刃
１６３    下刃支持部材
１６５    クランク軸
１６７    クランク支持部材
１７１    回転伝達軸
【図１】
2010247278.tif 000003
【図２】
2010247278.tif 000004
【図３Ａ】
2010247278.tif 000005
【図３Ｂ】
2010247278.tif 000006
【図４】
2010247278.tif 000007
【図５】
2010247278.tif 000008
【図６】
2010247278.tif 000009
【図７】
2010247278.tif 000010
【図８】
2010247278.tif 000011